(57)【要約】【課題】不審な着信に対して応答することなく、代理応答システムへの対象電話番号の登録を容易に行う。【解決手段】発信側端末及び着信側端末１と、着信側端末１から任意の電話番号を取得し、この取得された電話番号と着信側端末１とを対応付けて記憶するデータベース装置３１と、発信側端末２からの接続要求に応じて、当該発信側端末２の電話番号についてデータベース装置３１を検索し、一致する電話番号が登録されていた場合に、着信側端末１への接続処理を停止し、発信側端末２に対して代理応答する代理応答部３３とを有する。【選択図】　　　図２
2004088651.tif 000002
【特許請求の範囲】
【請求項１】
発信側端末及び着信側端末と、
前記着信側端末から任意の電話番号を取得し、この取得された電話番号と該着信側端末とを対応付けて記憶するデータベース装置と、
前記発信側端末からの接続要求に応じて、当該発信側端末の電話番号について前記データベース装置を検索し、一致する電話番号が登録されていた場合に、前記着信側端末への接続処理を停止し、該発信側端末に対して代理応答する代理応答手段と
を有することを特徴とする代理応答通信システム。
【請求項２】
着信側端末から操作信号を取得し、前記任意の電話番号を前記データベース装置に記憶させる登録処理部を有することを特徴とする請求項１に記載の代理応答通信システム。
【請求項３】
前記発信側端末からの接続要求に応じて、該発信側端末の電話番号を、一時的に記憶する一時記憶部と、
前記着信側端末からの登録要求に応じて、前記一時記憶部に記憶された電話番号を前記データベース装置に登録する手段と
を有することを特徴とする請求項１に記載の代理応答通信システム。
【請求項４】
通信ネットワーク上に分散配置された情報提供装置を識別する識別子を、前記着信側端末から取得し、該識別子により特定される情報提供装置から電話番号を取得し、前記データベース装置に登録する手段を有することを特徴とする請求項１に記載の代理応答通信システム。
【請求項５】
通信ネットワーク上に分散配置された情報提供装置において入力された電話番号を取得し、この入力された電話番号を前記データベース装置に登録する手段を有することを特徴とする請求項１に記載の代理応答通信システム。
【請求項６】
発信側端末から着信側端末への発信に対して、代理応答する代理応答方法であって、
前記着信側端末から任意の電話番号を取得し、この取得された電話番号と該着信側端末とを対応付けて登録するステップ（１）と、
前記発信側端末からの接続要求があった場合に、当該発信側端末の電話番号と一致する電話番号が登録されていた際、前記着信側端末への接続処理を停止し、該発信側端末に対して代理応答するステップ（２）と
を有することを特徴とする代理応答通信方法。
【請求項７】
前記ステップ（１）では、着信側端末から操作信号を取得し、前記任意の電話番号を記憶することを特徴とする請求項６に記載の代理応答通信方法。
【請求項８】
前記ステップ（１）において、
前記発信側端末からの接続要求に応じて、該発信側端末の電話番号を、一時的に記憶し、
前記着信側端末からの登録要求に応じて、前記一時的に記憶された電話番号を登録する
ことを特徴とする請求項６に記載の代理応答通信方法。
【請求項９】
前記ステップ（１）において、
通信ネットワーク上に分散配置された情報提供装置を識別する識別子を、前記着信側端末から取得し、
該識別子により特定される情報提供装置から電話番号を取得し、これを登録する
ことを特徴とする請求項６に記載の代理応答通信方法。
【請求項１０】
通信ネットワーク上に分散配置された情報提供装置において入力された電話番号を取得し、この入力された電話番号を登録することを特徴とする請求項６に記載の代理応答通信方法。
【請求項１１】
発信側端末から着信側端末への発信に対して、代理応答する代理応答装置であって、
前記着信側端末から任意の電話番号を取得し、この取得された電話番号と該着信側端末とを対応付けて記憶するデータベース装置と、
前記発信側端末からの接続要求に応じて、当該発信側端末の電話番号について前記データベース装置を検索し、一致する電話番号が登録されていた場合に、前記着信側端末への接続処理を停止し、該発信側端末に対して代理応答する代理応答手段と
を有することを特徴とする代理応答装置。
【請求項１２】
発信側端末から着信側端末への発信に対して、代理応答する代理応答装置であって、
前記着信側端末から任意の電話番号を取得し、この取得された電話番号と該着信側端末とを対応付けて記憶するデータベース装置と、
前記発信側端末からの接続要求に応じて、当該発信側端末の電話番号について前記データベース装置を検索し、一致する電話番号が登録されていた場合に、外部の装置に対して、前記着信側端末への接続処理の停止、及び該発信側端末に対する代理応答を指示する代理応答指示手段と
を有することを特徴とする代理応答装置。
【請求項１３】
着信側端末から操作信号を取得し、前記任意の電話番号を前記データベース装置に記憶させる登録処理部を有することを特徴とする請求項１１又は１２に記載の代理応答装置。
【請求項１４】
前記発信側端末からの接続要求に応じて、該発信側端末の電話番号を、一時的に記憶する一時記憶部と、
前記着信側端末からの登録要求に応じて、前記一時記憶部に記憶された電話番号を前記データベース装置に登録する手段と
を有することを特徴とする請求項１１又は１２に記載の代理応答装置。
【請求項１５】
通信ネットワーク上に分散配置された情報提供装置を識別する識別子を、前記着信側端末から取得する識別子取得部と、
該識別子により特定される情報提供装置から電話番号を取得する電話番号取得部と、
取得した電話番号をデータベース装置に登録させるために通知する通知部と
を有することを特徴とするゲートウェイ装置。
【請求項１６】
通信ネットワーク上に分散配置された情報提供装置において入力された電話番号を取得する電話番号取得部と、
この入力された電話番号を前記データベース装置に登録させるために通知する通知部と
を有することを特徴とするゲートウェイ装置。
【発明の詳細な説明】
【０００１】
【発明の属する技術分野】
本発明は、発信側端末から着信側端末への発信に対して、代理応答する代理応答通信システム、代理応答通信方法、代理応答装置及びゲートウェイ装置に関する。
【０００２】
【従来の技術】
従来、一般電話や携帯電話などでは、通信したくない相手や、悪意の目的で発信してくる相手に対して代理応答するサービスが開発されている。
【０００３】
この従来の代理応答システムでは、着信側端末に対して着信があり、これに応答した場合にのみ、発信者の電話番号を代理応答の対象電話番号としてデータベース装置へ登録し、対象電話番号からの発信に対し代理応答する。
【０００４】
【発明が解決しようとする課題】
しかしながら、上述した従来の代理応答システムでは、代理応答させたい加入者の電話番号を登録したくても、一度着信し、応答しなければ、電話番号を取得することができず、着信に対して応答しなかった場合には、代理応答対象の電話番号としてデータベース装置へ登録することができないという問題点がある。
【０００５】
そこで、本発明は、以上の点に鑑みてなされたもので、不審な着信に対して応答することなく、代理応答システムへの対象電話番号の登録を容易に行うことのできる代理応答通信システム、代理応答通信方法、代理応答装置及びゲートウェイ装置を提供することを目的とする。
【０００６】
【課題を解決するための手段】
上記課題を解決するために、本発明は、発信側端末から着信側端末への発信に対して、代理応答する代理応答方法であって、着信側端末から任意の電話番号を取得し、この取得された電話番号と着信側端末とを対応付けて登録しておき、発信側端末からの接続要求に応じて、当該発信側端末の電話番号と一致する電話番号が登録されていた場合に、着信側端末への接続処理を停止し、発信側端末に対して代理応答する。なお、上記発明においては、着信側端末から操作信号を取得し、任意の電話番号を記憶することが好ましい。
【０００７】
このような本発明によれば、着信側の端末から、任意の電話番号を登録しておくことにより、発信側の端末からの着信処理が停止され、発信側に対して代理応答が行われる。これにより、本発明によれば、通信したくない相手や、悪意の目的で発信してくる相手からの着信を受けることなく、代理応答を行うことができる。
【０００８】
上記発明においては、発信側端末からの接続要求に応じて、発信側端末の電話番号を、一時的に記憶し、着信側端末からの登録要求に応じて、一時的に記憶された電話番号を登録することが好ましい。この場合には、着信側端末において、不審な呼び出しがあった場合にも、当該発信側端末の電話番号が記憶されることから、不審な呼び出しに応じることなく、当該発信側端末の電話番号を代理応答対象電話番号として登録することができる。
【０００９】
上記発明においては、通信ネットワーク上に分散配置された情報提供装置を識別する識別子を、着信側端末から取得し、識別子により特定される情報提供装置から電話番号を取得し、これを登録することが好ましい。この場合には、情報提供装置から提供される電話番号を、インターネット等の通信ネットワークを介して代理応答対象電話番号として登録することができる。
【００１０】
本発明は、通信ネットワーク上に分散配置された情報提供装置において入力された電話番号を取得し、この入力された電話番号を登録する。このような本発明によれば、インターネットに接続可能な端末を用いて、容易に、任意の電話番号を代理応答対象電話番号として登録することができる。なお、この発明における入力とは、直接文字を入力する場合や、予め表示されたリストの中から選択する場合等を含む。
【００１１】
【発明の実施の形態】
（代理応答通信システムの基本構成）
以下に本発明の実施形態に係る代理応答通信システムについて詳細に説明する。図１は、本実施形態に係る代理応答通信システムの全体構成を模式的に示す構成図である。
【００１２】
同図に示すように、本実施形態に係る代理応答通信システムは、加入者αが使用する着信側端末１と、加入者βが使用する発信側端末２と、データベース装置３１を備えた代理応答通信装置３と、端末１及び２と代理応答通信装置３との間で通信の交換接続を行う交換装置４及び５とを備えている。さらに、本実施形態に係る代理応答通信システムは、インターネットゲートウェイ６を介して、インターネット７に接続されている。なお、本実施形態では、着信側端末１の使用者である加入者αが、発信側端末２からの悪意の接続等を排除すべく、代理応答通信装置３に対して、登録処理を行う。
【００１３】
代理応答通信装置３は、発信側の端末２から着信側の端末１への発信に対して、代理応答する装置であり、本実施形態では、図２に示すように、データベース装置３１と、一時記憶メモリ３２と、代理応答部３３と、接続処理停止部３４と、通信部３５と、信号解析部３６と、制御部３７と、データベースインターフェース３８と、登録処理部３９とを備えている。
【００１４】
通信部３５は、交換装置４，５と接続され、これらの交換装置４，５を通じて端末１，２とデータの送受信を行う通信モジュールである。本実施形態においてこの通信部３５は、信号解析部３６に接続されており、受信した信号を信号解析部３６に送信する。また、通信部３５は、代理応答部３３に接続されており、代理応答部３３が生成する代理メッセージを取得し、ガイダンスとして所定の端末へ送出する。
【００１５】
信号解析部３６は、通信部３５が取得した通信信号の内容を解析し、その通信信号が、いずれの端末から受信されたものなのか、いずれの端末宛のものなのか、どのような種別（接続要求、登録要求等）を判別し、この判別結果とともに、その種別に応じたデータ内容（発信・着信端末の電話番号等）を抽出し、制御部３７に出力するモジュールである。
【００１６】
制御部３７は、信号解析部３６の解析結果に応じて、接続処理や登録処理、代理応答処理を指示する制御信号を各モジュールに対して出力するとともに、抽出されたデータ内容を各モジュールに転送する装置である。
【００１７】
データベースインターフェース３８は、制御部３７からの制御信号に基づいて、各データをデータベース装置３１や一時記憶メモリ３２に対して、入出力する装置である。具体的に、データベースインターフェース３８は、登録処理部３９からの登録要求に応じて、この登録要求に係る電話番号をデータベース装置３１に登録する。また、データベースインターフェース３８は、発信側端末２から接続要求があった場合には、これに応じて、当該発信側端末２の電話番号をデータベース装置を検索し、代理応答対象端末の電話番号を制御部３７に出力する。さらに、データベースインターフェース３８は、発信側端末２から接続要求があった場合であって、データベース装置３１に一致する電話番号が登録されていなかったときに、信号解析部３６で抽出された発信・着信端末の電話番号を取得し、一時記憶メモリ３２に記憶させる。
【００１８】
データベース装置３１は、着信側端末１から取得された電話番号と着信側端末１とを対応付けて記憶する装置である。具体的には、各々の加入者、例えば加入者α、βに対応付けられた代理応答リストＬ１，Ｌ２を格納しており、それぞれの代理応答リストＬ１，Ｌ２は各々の加入者への着信時のみに有効となり、他の加入者への着信時には無効となる。なお、このデータベース装置は、単一のデータベースサーバにより構築することもでき、複数のデータベースサーバを相互に接続したリレーショナルデータベースにより構築することもできる。
【００１９】
一時記憶メモリ３２は、発信側端末２からの接続要求に応じて、発信側端末２の電話番号を、一時的に記憶する記憶装置であり、大容量ハードディスクやメモリ装置により実現することができる。本実施形態において、この一時記憶メモリ３２は、加入者の端末毎に対応付けられた複数の記憶領域３２ａ，３２ｂ…を備えており、着信側端末の電話番号毎に、発信側端末の電話番号を対応付けて記憶する。
【００２０】
代理応答部３３は、発信側端末２に対して代理応答する装置であり、発信した端末が、代理応答対象の端末として登録されている場合に、発信側端末に対して、音声や表示による代理メッセージをガイダンスとして送信する。
【００２１】
接続処理停止部３４は、データベース装置３１に、発信した端末の電話番号と一致する電話番号が登録されていた場合に、着信側端末への接続処理を停止するモジュールである。具体的にこの接続処理停止部３４は、接続処理装置（図示せず）に接続されており、制御部３７からの制御信号に応じて、接続処理装置の動作を停止しさせるとともに、代理応答部３３に対して、代理メッセージの送信を指示する。
【００２２】
登録処理部３９は、着信側端末１から操作信号を取得し、任意の電話番号をデータベース装置３１に記憶させるモジュールである。具体的にこの登録処理部３９は、信号解析部３６に接続されており、信号解析部３６で登録要求が判別された際に、この登録要求に係る電話番号を、データベースインターフェース３８を通じて、データベース装置３１に登録する。
【００２３】
また、登録処理部３９は、着信側端末１からの登録要求に応じて、一時記憶メモリ３２に記憶された電話番号をデータベース装置３１に登録する機能を有している。具体的にこの登録処理部３９は、信号解析部３６で登録要求が判別された際に、データベースインターフェース３８に対して、一時記憶メモリ３２に記憶された電話番号を、データベース装置３１に転送させ、登録させる。
【００２４】
インターネットゲートウェイ６は、図２に示すように、本実施形態では、データベース６１と、信号解析部６２と、電話番号取得部６３と、通知部６４と、データベースインターフェース６５と、識別子取得部６６とを備えている。
【００２５】
信号解析部６２は、インターネット７を通じて取得された通信信号の内容を解析し、この解析結果に基づいて、各信号を電話番号取得部６３や、データベースインターフェース６５に出力するモジュールである。
【００２６】
識別子取得部６６は、インターネット７上に分散配置されたＷｅｂサーバ８ａ〜８ｃを識別する識別子である接続先ＵＲＬを、代理応答通信装置３を通じて、着信側端末１から取得するモジュールである。
【００２７】
データベース６１は、図７に示すような対応表Ｔ１を格納する記憶装置であり、データベースインターフェース６５を通じて、データの入出力が行われる。この対応表Ｔ１は、提供先番号と接続先ＵＲＬとを対応付けたテーブルデータである。データベースインターフェース６５は、識別子取得部６６が取得した提供先番号に基づいて、データベース６１を検索し、該当する接続先ＵＲＬを読み出すモジュールである。
【００２８】
電話番号取得部６３は、接続先ＵＲＬにより特定されるＷｅｂサーバ８ａ〜８ｃから電話番号を取得するモジュールである。また、この電話番号取得部６３は、インターネット７上のＷｅｂサーバ８ａ〜８ｃにおいて選択・入力された電話番号を取得する機能を備えている。
【００２９】
通知部６４は、電話番号取得部６３が取得した電話番号を、代理応答通信装置３のデータベース装置３１に登録させるために、代理応答通信装置３の登録処理部３９に対して通知するモジュールである。
【００３０】
（代理応答通信システムを用いた代理応答通信方法）
そして、上記構成を有する代理応答通信システムを用いた代理応答通信方法は、以下の手順による。
【００３１】
（１）任意登録操作
先ず、着信側端末１（加入者α）から任意の電話番号を、代理応答リストＬ１（加入者α）へ登録する場合について説明する。
【００３２】
図３（ａ）に示すように、着信側端末１から、交換装置４に接続する（Ｓ１０１）。このとき、着信側端末１の端末番号（例えば、加入電話番号）及び任意の登録電話番号（ここでは、発信側端末２の電話番号）を、着信側端末１においてダイヤルすることにより、端末（加入者α）より任意番号登録要求が送出される。
【００３３】
次いで、この要求を受けた交換装置４より代理応答通信装置３へ、任意番号登録要求を送出し、端末番号（加入者α）及び任意の登録電話番号を通達する（Ｓ１０２）。このステップＳ１０２において、代理応答通信装置３では、信号解析部３６により、任意番号登録要求を解析し、図３（ｂ）に示すように、登録処理部３９により、データベース装置３１の加入者αに割当てられた代理応答リストＬ１へ登録電話番号を格納する。
【００３４】
（２）一時記憶登録操作
次いで、着信側端末１（加入者α）から取得した電話番号を一時的に記憶した後、代理応答リストＬ１（加入者α）へ登録する場合について説明する。
【００３５】
図４（ａ）に示すように、発信側端末２（加入者β）より着信側端末１（加入者α）へ発信があった場合、交換装置５が発信側端末２（加入者β）から接続信号を受信する（Ｓ２０１）。この際、交換装置５は、代理応答通信装置３へ一時記憶要求を送信するとともに、着信側端末１の端末番号（加入者α）及び発信側端末２の発信電話番号を通達する（Ｓ２０２）。代理応答通信装置３では、図４（ｂ）に示すように、番号を加入者αに割当てられた一時記憶メモリ３２の記憶領域３２ａ（加入者α）に格納する。
【００３６】
そして、一時記憶メモリ３２（加入者α）の内容を代理応答リストＬ１（加入者α）へ登録する場合、図５（ａ）に示すように、着信側端末１（加入者α）において、端末操作番号をダイヤルすることにより、着信側端末１（加入者α）より着信番号登録要求を送出する（Ｓ３０１）。
【００３７】
この要求を受けた交換装置４は、代理応答通信装置３へ着信番号登録要求を送出し、端末番号（加入者α）を通達する（Ｓ３０２）。代理応答通信装置３では、図５（ｂ）に示すように、加入者αに割当てられた一時記憶メモリ３２（加入者α）の内容を代理応答リストＬ１（加入者α）へ格納する。
【００３８】
（３）Ｗｅｂ経由登録操作１
次いで、インターネット７上のＷｅｂサーバ８ａ〜８ｃより電話番号を取得し、代理応答リストＬ１（加入者α）へ登録する場合について説明する。
【００３９】
図６（ａ）に示すように、着信側端末１（加入者α）において、端末操作番号をダイヤルすることにより、着信側端末１（加入者α）より電話番号取得要求が、交換装置４に送出される（Ｓ４０１）。この電話番号取得要求を受信した交換装置４は、電話番号取得応答を着信側端末１に対し送信するとともに（Ｓ４０２）、電話番号提供者名（Ｗｅｂサーバを識別する識別子）の入力を促すためのガイダンスを送出する（Ｓ４０３）。このガイダンスに従って、着信側端末１より提供者名に対応する番号をダイヤルすることにより、電話番号提供者通知が送出され（Ｓ４０４）、交換装置４に対して、提供者番号が送達される。
【００４０】
この電話番号提供者通知を受けた交換装置４は、代理応答通信装置３を経由してインターネットゲートウェイ６へ電話番号要求へ送出し、端末番号（加入者α）及び提供者番号を送達する（Ｓ４０５及びＳ４０６）。インターネットゲートウェイ６では、識別子取得部６６により、提供者番号を取得し、データベースインターフェース６５により、提供者番号と接続先ＵＲＬの対応表Ｔ１を検索する。なお、ここでは、Ｗｅｂサーバ８ａが検索されるものとする。
【００４１】
次いで、対応表Ｔ１から読み出された接続先ＵＲＬに対して、インターネットゲートウェイ６より、電話番号要求が送出され（Ｓ４０７）、該当するＷｅｂサーバ８ａからの電話番号応答を電話番号取得部６３で受信する（Ｓ４０８）。この電話番号応答により、提供者から登録電話番号が送達される。その後、インターネットゲートウェイ６の通知部６４から、電話番号応答を代理応答通信装置３へ送信することにより、端末番号（加入者α）と登録電話番号を送達する（Ｓ４０９）。この送達を受けて、図６（ｃ）に示すように、データベース装置３１内の加入者αに割当てられた代理応答リストＬ１（加入者α）に、電話番号が格納される。
【００４２】
（３）Ｗｅｂ経由登録操作２
次いで、インターネット７上のホームページに掲載される電話番号を選択することで、代理応答リストＬ１（加入者α）に登録する場合について説明する。
【００４３】
本実施形態において、Ｗｅｂサーバ８ｂでは、図８に示すようなホームページＷ１が提示されている。このホームページＷ１には、代理応答の対象とすべき電話番号をリスト表示したチェックボックスリストＣＢ１と、着信側端末１（加入者α）の電話番号を入力するテキストボックスＴＢ１と、送信処理を実行するためのボタンＢＴ１が表示されている。
【００４４】
そして、加入者αは、パーソナルコンピュータや通信端末装置からホームページＷ１にアクセスし、このホームページＷ１のチェックボックスリストＣＢ１をチェックすることにより、任意の電話番号を選択するとともに、テキストボックスＴＢ１に自分の電話番号を記入する。
【００４５】
次いで、送信ボタンＴＢ１を押すと、図９（ａ）に示すように、Ｗｅｂサーバ８ｂから、インターネットゲートウェイ６に電話番号更新要求が送信され（Ｓ５０１）、登録電話番号と電話番号（加入者α）が送達される。これに応じて、インターネットゲートウェイ６の電話番号取得部６３は、取得した登録電話番号と電話番号（加入者α）を、通知部６４を介して、代理応答通信装置３に通知する。代理応答通信装置３では、この通知に応じて、図９（ｂ）に示すように、加入者αに割当てられた代理応答リストＬ１（加入者α）へ登録電話番号を格納する。
【００４６】
（３）Ｗｅｂ経由登録操作３
次いで、インターネット７上のホームページにて、任意の電話番号を入力することにより、代理応答リストＬ１（加入者α）に反映させる場合について説明する。
【００４７】
本実施形態において、Ｗｅｂサーバ８ｃでは、図１０に示すようなホームページＷ２が提示されている。このホームページＷ２には、代理応答の対象とすべき電話番号を入力するテキストボックスＴＢ２と、着信側端末１（加入者α）の電話番号を入力するテキストボックスＴＢ１と、送信処理を実行するためのボタンＢＴ２が表示されている。
【００４８】
そして、加入者αは、テキストボックスＴＢ２に、任意の電話番号を入力するとともに、テキストボックスＴＢ１に加入者αの電話番号を記入する。次いで、送信ボタンＢＴ２を押すと、上記図９（ａ）に示した場合と同様に、Ｗｅｂサーバ８ｃからインターネットゲートウェイ６経由で、代理応答通信装置３に対して電話番号更新要求が送信され（Ｓ５０１）、登録電話番号と電話番号（加入者α）が送達される。代理応答通信装置３では、この通知に応じて、図９（ｂ）に示すように、加入者αに割当てられた代理応答リストＬ１（加入者α）へ登録電話番号を格納する。
【００４９】
（４）代理応答処理
上述した（１）〜（３）の操作により登録された電話番号に対して代理応答する際の動作は、以下の通りである。図１１は、本実施形態に係る代理応答処理を示すシーケンス図である。
【００５０】
先ず、端末（加入者β）より端末（加入者α）へ発信を行った場合、発信側端末２（加入者β）から交換装置５に接続信号が送信される（Ｓ６０１）。この接続信号を受信した交換装置５は、代理応答通信装置３へ代理応答問合せ要求を送信し、着信加入者ＩＤと発信電話番号を通達する（Ｓ６０２）。
【００５１】
代理応答通信装置３では、代理応答リストＬ１（加入者α）において発信電話番号を検索し、一致する電話番号が存在すれば、接続処理停止部３４により着信側端末１への接続処理を停止するとともに、交換装置５に対してその判定結果を代理応答問合せ応答として通達し、一致する電話番号が存在しなければ通常接続として通達する（Ｓ６０３）。
【００５２】
ステップＳ６０４において、判定結果が通常接続だった場合、交換装置５は、通常の接続処理を行う。一方、ステップＳ６０４において、代理応答だった場合には、代理応答部３３が、交換装置５を通じて、発信側端末２（加入者β）へ代理応答の旨を伝える代理メッセージ（ガイダンス）を送出する（Ｓ６０５）。
【００５３】
（代理応答通信システム及び代理応答通信方法による効果）
以上説明した本実施形態に係る代理応答通信システム及び代理応答通信方法によれば、着信側の端末１から、データベース装置３１に対して、任意の電話番号を登録しておくことにより、発信側の端末２からの着信処理を停止することができ、発信側に対して代理応答を行うことができる。これにより、通信したくない相手や、悪意の目的で発信してくる相手からの着信を受けることなく、代理応答を行うことができる。
【００５４】
また、本実施形態においては、発信側端末２からの接続要求に応じて、発信側端末２の電話番号を、一時記憶メモリ３２に一時的に記憶し、後に、着信側端末１からの操作により、一時記憶メモリ３２に一時的に記憶された電話番号をデータベース装置３１に登録するため、着信側端末１において、不審な呼び出しがあった場合にも、不審な呼び出しに応じることなく、当該発信側端末の電話番号を代理応答対象電話番号としてデータベース装置３１に登録することができる。
【００５５】
さらに、本実施形態においては、Ｗｅｂサーバから電話番号を取得し、これをデータベース装置３１に対して登録することできるため、Ｗｅｂサーバから提供される電話番号を、インターネット７を介して代理応答対象電話番号としてデータベース装置３１に登録することができる。
【００５６】
さらに、本実施形態によれば、Ｗｅｂサーバにおいて選択或いは入力された電話番号をデータベース装置３１に登録することができるため、インターネットに接続可能な端末を用いて、容易に、任意の電話番号を代理応答対象電話番号として登録することができる。
【００５７】
（変更例）
なお、本発明は、上述した実施形態に限定されるものではなく、以下のような変更を加えることができる。図１２は、本変更例に係る代理応答通信システムの構成を示すブロック図である。
【００５８】
図１２に示すように、本変更例では、上記実施形態において代理応答通信装置３内に設けられていた接続処理停止部３４及び代理応答部３３を、外部の装置である交換装置４や５に設けたことを特徴とする。
【００５９】
また、上記実施形態において代理応答通信装置３内に設けられていた接続処理停止部３４及び代理応答部３３に代えて、交換装置４又は５に対して着信側端末への接続処理の停止を指示する接続処理停止指示部１３４を設けるとともに、交換装置４又は５に対して発信側端末に対する代理応答を指示する代理応答指示部１３３を設ける。
【００６０】
そして、このような変更例に係る代理応答通信システムにより、代理応答処理を行う際の動作は、以下の通りである。図１３は、本変更例に係る代理応答処理を示すシーケンス図である。
【００６１】
先ず、端末（加入者β）より端末（加入者α）へ発信を行った場合、発信側端末２（加入者β）から交換装置５に接続信号が送信される（Ｓ６０１）。この接続信号を受信した交換装置５は、代理応答通信装置３へ代理応答問合せ要求を送信し、着信加入者ＩＤと発信電話番号を通達する（Ｓ６０２）。
【００６２】
代理応答通信装置３では、代理応答リストＬ１（加入者α）において発信電話番号を検索し、一致する電話番号が存在すれば、接続処理停止指示部１３４及び代理応答指示部１３３により、その判定結果を代理応答問合せ応答として通達する。この通達により、交換装置５に対して、着信側端末１への接続処理の停止、及び発信側端末２に対する代理応答が指示される。一方、一致する電話番号が存在しなければ通常接続として通達する（Ｓ６０３）。
【００６３】
ステップＳ６０４において、判定結果が通常接続だった場合、交換装置５は、通常の接続処理を行う。一方、ステップＳ６０４において、代理応答だった場合、交換装置５は、着信端末１への接続処理を停止するとともに、発信側端末２（加入者β）へ代理応答の旨を伝える代理メッセージ（ガイダンス）を送出する（Ｓ７０５）。
【００６４】
【発明の効果】
以上説明したように、本発明の代理応答通信システム、代理応答通信方法、代理応答装置及びゲートウェイ装置によれば、通信したくない相手やいたずら目的の相手からの着信を、適切に回避することができる。また、代理応答対象電話番号の登録は、自己の端末から任意に、又は、システム側で一時的に記憶されたデータを利用して、さらには、インターネットで提供されたデータを利用して、行うことができるため、簡便で且つ多様な方法により、代理応答を実現することができる。
【図面の簡単な説明】
【図１】実施形態に係る代理応答通信システムの全体構成を模式的に示す構成図である。
【図２】実施形態に係る代理応答通信装置及びインターネットゲートウェイの構成を示すブロック図である。
【図３】実施形態において、任意の電話番号を代理応答リストへ格納する手順の一例を示すシーケンス図である。
【図４】実施形態において、端末への着信時に発信電話番号を一時的に記憶する手順の一例を示すシーケンス図である。
【図５】実施形態において、代理応答リストへ一時記憶メモリの電話番号を格納する手順の一例を示すシーケンス図である。
【図６】実施形態において、インターネット上のＷｅｂサーバより電話番号を取得する手順の一例を示すシーケンス図である。
【図７】実施形態において、インターネットゲートウェイでの提供先番号に対応する接続先ＵＲＬの対応表の一例を示す図である。
【図８】実施形態において、Ｗｅｂサーバにより公開される電話番号リストの一例を示す図である。
【図９】実施形態において、Ｗｅｂサーバより電話番号を取得し代理応答リストに反映させる手順の一例を示すシーケンス図である。
【図１０】実施形態において、Ｗｅｂサーバにより公開される電話番号入力画面の一例を示す図である。
【図１１】実施形態において、代理応答の対象加入者から発信された場合の手順の一例を示すシーケンス図である。
【図１２】変更例に係る代理応答通信装置及びインターネットゲートウェイの構成を示すブロック図である。
【図１３】変更例において、代理応答の対象加入者から発信された場合の手順の一例を示すシーケンス図である。
【符号の説明】
１…着信側端末
２…発信側端末
３…代理応答通信装置
４，５…交換装置
６…インターネットゲートウェイ
７…インターネット
８ａ〜８ｃ…Ｗｅｂサーバ
３１…データベース装置
３２…一時記憶メモリ
３２ａ，３２ｂ…記憶領域
３３…代理応答部
３４…接続処理停止部
３５…通信部
３６…信号解析部
３７…制御部
３８…データベースインターフェース
３９…登録処理部
６１…データベース
６２…信号解析部
６３…電話番号取得部
６４…通知部
６５…データベースインターフェース
６６…識別子取得部
１３３…代理応答指示部
１３４…接続処理停止指示部
α…加入者
β…加入者
Ｌ１…代理応答リスト
Ｌ１，Ｌ２…代理応答リスト
Ｔ１…対応表
Ｗ１…ホームページ
Ｗ２…ホームページ
【図１】
2004088651.tif 000003
【図２】
2004088651.tif 000004
【図３】
2004088651.tif 000005
【図４】
2004088651.tif 000006
【図５】
2004088651.tif 000007
【図６】
2004088651.tif 000008
【図７】
2004088651.tif 000009
【図８】
2004088651.tif 000010
【図９】
2004088651.tif 000011
【図１０】
2004088651.tif 000012
【図１１】
2004088651.tif 000013
【図１２】
2004088651.tif 000014
【図１３】
2004088651.tif 000015